(57)【特許請求の範囲】
【請求項１】
フィルタヘッドに取外し可能に接続するためのフィルタカートリッジであって、
前記フィルタカートリッジは前記フィルタヘッドに接続されると共にカートリッジハウジング内に搭載され、
前記フィルタヘッドと前記カートリッジハウジングとは、前記フィルタヘッドに対して前記カートリッジハウジングを長手方向軸周りに回転させて前記フィルタヘッドと前記カートリッジとを接続するねじ接続部を含み、
（ａ）前記フィルタカートリッジは、開いている第１開口部を画定する第１端部キャップを有し、
（i）前記第１端部キャップは、第１端部キャップシール部材を保持し、
（ii）前記第１端部キャップは、半径方向外面と半径方向内面とを有する、軸方向に延びているネック部を画定し、
（Ａ）前記第１端部キャップシール部材は、前記半径方向外面で前記軸方向に延びているネック部によって保持されており、
（ｂ）前記フィルタカートリッジは、前記第１端部キャップに対して前記長手方向軸周りに回転可能に前記ネック部の前記半径方向内面内に配置され、かつ前記開いている第１開口部を取り囲んでいるキーリングを有し、
（ｃ）前記フィルタカートリッジは、前記キーリングから前記開いている第１開口部に延びている第１突起物と第２突起物とを少なくとも有し、
（i）前記第１突起物は、前記キーリングに沿って垂直方向に前記第２突起物から間隔をあけて配置されており、
（ii）前記第１突起物は、前記キーリングに沿って円周方向に前記第２突起物から間隔をあけて配置されており、
（ｄ）前記フィルタカートリッジは、開いているフィルタ内部を画定し、かつ対向する第１端部と第２端部とを有するフィルタ媒体の管状構造物を有し、前記第１端部は、前記第１端部キャップに固定されており、
（i）前記開いている第１開口部は、前記開いているフィルタ内部と連通しており、
（ｅ）前記フィルタカートリッジは、前記フィルタ媒体の前記第２端部に固定されている第２端部キャップを有し、
前記フィルタカートリッジが前記フィルタヘッドに接続されるとき、前記第１突起物と前記第２突起物とは、前記フィルタヘッドのロックアウトアセンブリと円周方向に係合して前記フィルタカートリッジを前記フィルタヘッドに接続させることを可能にすることを特徴とするフィルタカートリッジ。
【請求項２】
（ａ）前記第１突起物と前記第２突起物とは、円周方向に互いに５０°以内の角度を空けて配置されており、
（ｂ）前記第１突起物と前記第２突起物とは、互いに３５°より大きい角度を空けて配置されており、
（ｃ）前記第１端部キャップの前記開いている第１開口部は内径を画定し、
（ｄ）前記第１突起物と前記第２突起物との間の垂直方向の距離は、前記内径の８〜１５％であることを特徴とする請求項１に記載のフィルタカートリッジ。
【請求項３】
（ａ）前記フィルタカートリッジは、前記キーリングから前記開いている第１開口部に延びている少なくとも１つの第３突起物を更に有し、
（i）前記第３突起物は、前記第１突起物と前記第２突起物とから円周方向に間隔をあけて配置されており、
（ii）前記第３突起物は、前記第１突起物または前記第２突起物のうちのいずれか１つの突起物だけから垂直方向に間隔をあけて配置されており、
（ｂ）前記フィルタカートリッジは、前記キーリングから前記開いている第１開口部に延びている少なくとも１つの第４突起物を有し、
（i）前記第４突起物は、前記第１突起物と前記第２突起物と前記第３突起物とから円周方向に間隔をあけて配置されており、
（ii）前記第４突起物は、前記第１突起物と前記第２突起物と前記第３突起物のうちの２つの突起物だけから垂直方向に間隔をあけて配置されており、
（ｃ）前記第１突起物と前記第２突起物と前記第３突起物と前記第４突起物とのうちの２つの突起物は、円周方向に互いに５０°以内の角度をあけて配置されており、前記第１突起物と前記第２突起物と前記第３突起物と前記第４突起物のうちの残りの２つの突起物は、円周方向に互いに５０°以内の角度をあけて配置されていることを特徴とする請求項１または請求項２に記載のフィルタカートリッジ。
【請求項４】
（ａ）前記フィルタカートリッジは、前記キーリングと前記第１端部キャップとの間で、摩擦リングと隆起構成物とのうちの少なくとも１つを含む摩擦誘発構造物を更に有し、前記摩擦リングは、前記キーリングの半径方向外面と前記ネック部の半径方向内面との間にあり、
（i）前記摩擦誘発構造物は、前記キーリングを保持し、回転力が働くとき、前記キーリングが前記第１端部キャップに対して前記長手方向軸の周りを回転移動することを可能にし、
（ｂ）前記キーリングは、円周方向に間隔をあけて配置されている複数の開いているスロットを画定する軸方向端部先端を含み、
（i）前記スロットは、前記フィルタカートリッジが前記フィルタヘッドに取付けられるとき、前記フィルタヘッドの一部を収容し、
（ｃ）前記第１端部キャップは、前記第１端部キャップから延びている複数の突起物を有し、
（i）前記フィルタカートリッジが前記カートリッジハウジング中に設置されるとき、複数のタブは、前記カートリッジハウジングの一部と係合して前記カートリッジハウジングの前記一部から前記フィルタカートリッジを間隔をあけて配置することを特徴とする請求項１又は請求項２に記載のフィルタカートリッジ。
【請求項５】
フィルタアセンブリであって、
請求項１に記載のフィルタカートリッジを有し、
（ａ）前記第２端部キャップは、前記開いているフィルタ内部と連通する開いている第２開口部を画定し、
（i）前記第２端部キャップは、第２端部キャップシール部材を保持し、
（ｂ）前記フィルタアセンブリは、請求項１に記載のカートリッジハウジングを有し、前記フィルタカートリッジは、前記フィルタヘッドに接続可能であるボウルを含む前記カートリッジハウジングに取外し可能に設置することができることを特徴とするフィルタアセンブリ。
【請求項６】
フィルタアセンブリであって、
請求項１に記載のフィルタカートリッジを有し、
（ａ）前記第２端部キャップは閉じられており、
（ｂ）前記フィルタアセンブリは、前記フィルタヘッドに接続可能な請求項１に記載のカートリッジハウジングを有し、前記フィルタカートリッジは、前記カートリッジハウジングに恒久的に設置することができることを特徴とするフィルタアセンブリ。
【請求項７】
請求項５に記載のフィルタアセンブリであって、
（ａ）前記ボウルは、内部空間と、開いている口部と、前記口部に対向する端部と、を画定する周囲壁を含み、
（i）前記フィルタカートリッジは、前記ボウルの前記内部空間内に取外し可能に配置されており、
（ｂ）前記フィルタアセンブリは、前記開いているフィルタ内部内に配置されている多孔性のインナライナーを更に有し、前記インナライナーは、前記インナライナーから半径方向内側に突き出ている少なくとも１つのタブを含むことを特徴とするフィルタアセンブリ。
【請求項８】
フィルタシステムであって、
請求項５または請求項６に記載のフィルタアセンブリを有し、
（ａ）前記フィルタシステムは、フィルタヘッドを有し、
（i）前記フィルタヘッドは、内部空間を画定する周囲壁を有するフィルタブロックを有し、前記フィルタブロックは、入口部と出口部とを画定し、
（ii）前記フィルタヘッドは、前記内部空間内で前記フィルタブロックに固定されているアダプタを有し、
（Ａ）前記アダプタは、内部管状壁を取り囲む外面を有し、
（Ｂ）前記内部管状壁は、半径方向外面と半径方向内面とを有し、
（iii）前記フィルタヘッドは、前記アダプタに固定されている固定リングを有し、
（Ａ）前記固定リングは、対向する第１軸方向表面及び第２軸方向表面を有し、かつ中央開口部を画定する平らな基部を有し、前記アダプタの前記内部管状壁は前記中央開口部にはめ込まれており、
（Ｂ）前記固定リングは、前記第１軸方向表面から突き出ている複数の指を有し、
（iv）前記フィルタヘッドは、固定スリーブを有し、
（Ａ）前記固定スリーブは、管状壁を有し、前記固定スリーブの前記管状壁は、前記アダプタの前記内部管状壁の半径方向外面に接触しており、
（１）前記固定スリーブの前記管状壁は、前記管状壁に沿って複数の溝を有し、
（Ｂ）前記固定スリーブは、前記固定スリーブの前記管状壁を取り囲みかつ前記固定スリーブの前記管状壁から突き出ているカラーを有し、前記カラーは、複数の指収容開口部を画定し、
（Ｃ）前記固定スリーブは、第１の固定された位置から固定されていない位置まで固定リングに対して回転可能であり、
（１）前記第１の固定された位置は、前記固定リングの前記複数の指と一直線上に並んでいない前記複数の指収容開口部を含み、
（２）前記固定されていない位置は、前記固定リングの前記複数の指と一直線上に並んでいる前記複数の指収容開口部を含み、前記指は、前記指収容開口部に侵入して前記固定リングが前記固定スリーブと前記アダプタに対して軸方向に移動することを可能にし、
（v）前記フィルタヘッドは、前記第１の固定された位置に前記固定スリーブを偏らせる固定バネを有し、
（ｂ）前記フィルタカートリッジは、前記フィルタヘッドに作動可能に接続することができ、前記第１突起物と前記第２突起物は、前記固定スリーブを前記第１の固定された位置から前記固定されていない位置まで移動させることを特徴とするフィルタシステム。
【請求項９】
（ａ）前記固定スリーブは、前記第１の固定された位置から第２の固定された位置まで前記固定リングに対して回転可能であり、
（i）前記第２の固定された位置は、前記固定リングの前記複数の指と一直線上に並んでいない前記複数の指を収容する開口部を含み、
（ｂ）前記フィルタカートリッジの前記第１突起物は、前記第１の固定された位置から前記第２の固定された位置まで前記固定スリーブを回転させるために前記固定スリーブの前記管状壁の溝の１つと係合可能であり、
（i）前記第１の固定された位置は、前記第２突起物と前記固定スリーブの前記管状壁の溝の１つとの係合を妨げ、
（ii）前記第２の固定された位置は、前記第２突起物と前記固定スリーブの前記管状壁の溝の１つとの間の係合を可能にするために、回転された前記固定スリーブを含み、
（ｃ）前記フィルタカートリッジの第２突起物は、前記第２の固定された位置から前記固定されていない位置まで前記固定スリーブを回転させるために、前記固定スリーブの前記管状壁の溝の別の１つと係合可能であり、
（ｄ）前記フィルタカートリッジは、前記指を前記固定スリーブの前記指収容開口部に押し込むために前記フィルタヘッド中を軸方向に移動可能であることを特徴とする請求項８に記載のフィルタシステム。
【請求項１０】
（ａ）前記アダプタの前記内部管状壁は、間隔をあけて配置され長手方向に延びている、突き出ている少なくとも２つの尾根と、前記半径方向外面上で間隔をあけて配置され、半径方向に突き出ている少なくとも２つの尾根とを有し、
（ｂ）前記固定リングは、
（i）前記第２軸方向表面から延びているスカートを有し、前記スカートは、複数の開いているスロットを画定し、前記スカートは、半径方向内面と半径方向外面とを有し、
（ii）前記固定リングは、前記スカートの前記半径方向内面から延びている複数の半径方向タブを有し、前記半径方向タブは、前記アダプタの前記内部管状壁の前記半径方向外面上で、半径方向に突き出ている尾根の下方で閉じており、
（ｃ）前記固定スリーブの前記管状壁は、１組の開口部を画定し、前記アダプタの前記内部管状壁の長手方向の尾根は、前記１組の開口部中にあり、
（ｄ）前記固定リングは、前記平らな基部と前記スカートの半径方向外表面との間に延びている複数のガセットを含み、
（ｅ）前記フィルタカートリッジの前記キーリングは、円周方向に間隔をあけて配置され、開いている複数のスロットを画定する軸方向端部先端を含み、
（i）前記スロットは、前記フィルタカートリッジが前記フィルタヘッドに作動可能に取付けられるとき、前記固定リングの前記ガセットを収容し、
（ｆ）前記固定スリーブの前記管状壁は、前記アダプタの前記内部管状壁の半径方向外面と前記固定リングの前記スカートの半径方向内面との間でかつ接触しており、
（ｇ）前記固定バネは、前記固定スリーブの前記管状壁の周りにあることを特徴とする請求項８に記載のフィルタシステム。
【請求項１１】
請求項１に記載のフィルタカートリッジと請求項１に記載のカートリッジハウジングとを含むフィルタアセンブリをフィルタヘッドに設置する方法であって、
（ａ）前記方法は、フィルタカートリッジとハウジングとを含むフィルタアセンブリをフィルタヘッドに配置する工程を有し、
（i）前記フィルタヘッドは、固定リングと固定スリーブとを保持するブロックを含み、
（Ａ）前記固定リングは複数の指を有し、
（Ｂ）前記固定スリーブは、管状壁と、前記固定スリーブの前記管状壁を取り囲みかつ前記固定スリーブの前記管状壁から突き出ているカラーとを有し、前記カラーは、複数の指収容開口部を画定し、前記固定スリーブは、第１の固定された位置から固定されていない位置まで前記固定リングに対して回転可能であり、前記第１の固定された位置は、前記固定リングの前記複数の指と一直線上に並んでいない前記複数の指収容開口部を含み、前記固定されていない位置は、前記固定リングの前記複数の指と一直線上にある前記複数の指収容開口部を含み、
前記方法は、
（ｂ）配置する間に、前記フィルタアセンブリを前記固定スリーブに押し付けて前記固定スリーブを回転させ、かつ前記固定スリーブを前記固定された位置から前記固定されない位置まで移動させて、前記固定リングの前記指を前記固定スリーブの前記指収容開口部に一直線上に並べる工程と、
（ｃ）前記フィルタヘッドに対して前記フィルタアセンブリと前記固定リングの両方を軸方向に移動する工程と、
（ｄ）前記フィルタアセンブリを前記フィルタヘッドに作動可能に接続する工程と、
を有することを特徴とする方法。
【発明の詳細な説明】
【技術分野】
【０００１】
本開示は、ろ過アセンブリ及びろ過方法に関する。特に、本開示は、潤滑油フィルタ、油圧フィルタ及び燃料フィルタなどの液体のろ過のために使用するフィルタアセンブリ及びろ過方法に関する。
【背景技術】
【０００２】
関連出願の対応特許出願
本出願は、米国以外の全ての指定国に対する出願人である米国国内企業のドナルドソン会社の名において、並びに米国のみの指定に対する出願人であり二人とも米国市民であるブラッドリーＳ．ホナーマンとジョンＲ．ハッカーの名において、２０１０年１１月３日に国際特許出願として出願されたものであり、２００９年１１月５日に出願された米国仮特許出願第６１/２５８,３９５号に対して優先権を主張する。
【０００３】
背景技術
フィルタは、内燃機関の潤滑油システム及び燃料システムと高効率の装置の液圧システムとに関連して一般的に使用される。また、フィルタは、他の多くの液体システムでも使用される。これらのシステムでは、フィルタは定期的に交換される。当技術分野では、少なくとも２種類の標準フィルタが使用される。１つは、スピンオンキャニスタフィルタ（spin−on canister filter）であり、他方は、ボウルカートリッジフィルタ（bowl−cartridge filter）である。
【０００４】
ボウルカートリッジフィルタは、取替え可能なフィルタエレメント（フィルタカートリッジ）を保持する再使用可能なボウルを通常は含んでいる。ボウルカートリッジフィルタは、処分あるいは他の問題により、スピンオンキャニスタフィルタの代わりとして好ましい場合がある。ボウルカートリッジフィルタは、フィルタヘッドに取付けられ、浄化する液体がフィルタヘッドを通過してボウルに入り、取替え可能なフィルタカートリッジを通過してボウルから出てフィルタヘッドに戻る。使用期間が過ぎると、ボウルカートリッジフィルタは、フィルタヘッドから取外され、取替え可能なフィルタカートリッジは、再使用可能なボウルから取外される。古いフィルタカートリッジは、新しいフィルタカートリッジに取替えられる。新しいフィルタカートリッジは、作動可能に再利用なボウル中に取付けられ、取替により再び新しくなったボウルカートリッジフィルタを提供する。新しいフィルタカートリッジを含む、取替により再び新しくなったボウルカートリッジフィルタは、次に、フィルタヘッドに取付けられる。
【発明の概要】
【発明が解決しようとする課題】
【０００５】
他の問題は、古いフィルタカートリッジを取外した後に、取り替えの新しいフィルタカートリッジの取付け忘れの可能性を含む。すなわち、整備点検のために古いフィルタカートリッジを取外した後に、新しいフィルタカートリッジを作動可能に挿入せずにフィルタヘッドにボウルを戻して取付ける可能性がある。このことは、ろ過を必要とする装置に惨憺たる結果をもたらす可能性がある。また、１つのシステムで、互いに接近して配置されている複数のフィルタアセンブリがある場合に、フィルタを点検整備する人が共通するフィルタヘッドのどのフィルタアセンブリがどこに通じているかについて混乱し、間違ったフィルタアセンブリを間違ったフィルタヘッドに取付けて失敗する可能性がある。これらの問題に取り組むための改良が望まれている。
【課題を解決するための手段】
【０００６】
発明の概要
１つの態様では、これらと他の問題に取り組むために、フィルタカートリッジが提供される。フィルタカートリッジは、開いている第１開口部を画定する第１端部キャップを有し、第１端部キャップは、第１端部キャップシール部材を保持し、第１端部キャップは、半径方向外面と半径方向内面とを有する、軸方向に延びているネック部を画定し、第１端部キャップシール部材は、半径方向外面で軸方向に延びているネック部によって保持されている。フィルタカートリッジは、ネック部の半径方向内面内で半径方向内面と接触し、かつ開いている第１開口部を取り囲込んでいるキーリング（鍵環）を有する。フィルタカートリッジは、キーリングから開いている第１開口部に延びている、第１突起物と第２突起物とを少なくとも有し、第１突起物は、第２突起物からキーリングに沿って垂直方向に間隔をあけて配置されており、第１突起物は、第２突起物からキーリングに沿って円周方向に間隔をあけて配置されている。フィルタカートリッジは、開いているフィルタ内部を画定し、かつ対向する第１端部と第２端部とを有するフィルタ媒体の管状構造物を有し、第１端部は、第１端部キャップに固定されており、開いている第１開口部は、開いているフィルタ内部と連通している。フィルタカートリッジは、フィルタ媒体の第２端部に固定されている第２端部キャップを有し、フィルタカートリッジがフィルタヘッドに接続されるとき、第１突起物と第２突起物とは、フィルタヘッド中でロックアウトアセンブリと係合してフィルタカートリッジがフィルタヘッドに接続することを可能にする。
【０００７】
別の態様において、フィルタヘッドに接続可能であるボウルを含むカートリッジハウジングを含むフィルタアセンブリが提供される。フィルタカートリッジは、カートリッジハウジング中に取外し可能に取付けられる。あるいはまた、カートリッジハウジングは、フィルタヘッドに接続可能であるスピンオンキャンを含み、フィルタカートリッジは永久に、カートリッジハウジングに取付けられる。
【０００８】
別の態様において、上記に特徴付けられるようなフィルタアセンブリを含むフィルタシステムが提供される。フィルタシステムは、フィルタカートリッジがフィルタヘッドに作動可能に接続することができる状態のフィルタヘッドを含んでいる。フィルタヘッドは、内部空間を画定する周囲壁を有するフィルタブロックを有し、ブロックは、入口部と出口部とを画定する。アダプタがフィルタブロックの内部空間内でフィルタブロックに固定されている。アダプタは、内部管状壁に取り囲む外面を有する。いくつかの実施例では、アダプタの外面は、フィルタアセンブリの方向で内部管状壁に向かってテーパ状となっている漏斗表面である。別の実施例では、アダプタの外部表面は、テーパ状ではなく内部管状壁にほぼ平行である。どちらかの実施例でも、アダプタは、フィルタヘッドブロックと一体になり得るし、フィルタヘッドブロックに永久的にまたは取外し可能に接続される分離したコンポーネントであり得る。内部管状壁は、半径方向外面と半径方向内面を有する。固定リングは、アダプタに固定されている。固定リングは、対向する第１軸方向表面と第２軸方向表面とを有する平らな基部を有し、中央の開口部を画定する。アダプタの内部管状壁は、中央の開口部と適合する。複数の指が第１軸方向表面から突き出ている。固定スリーブが提供される。固定スリーブは、アダプタの内部管状壁の半径方向外面に面している管状壁を含む。固定スリーブの管状壁は、壁に沿って複数の溝を有する。カラーは、固定スリーブの管状壁に取り囲みかつ管状壁から突き出ている。カラーは、複数の指収容開口部を画定する。固定スリーブは、第１の固定された位置から固定されていない位置まで固定リングに対して回転可能である。第１の固定された位置は、固定リング中の複数の指と一直線上に並んでいない複数の指収容開口部を含む。固定されていない位置は、固定リングの複数の指と一直線上に並んでいる複数の指収容開口部を含む。指は、固定リングが固定スリーブとアダプタに対して軸方向に動くことを可能にするために指収容開口部に入り込む。第１の固定された位置に固定スリーブに偏らせるための固定バネが提供される。
【０００９】
別の態様において、フィルタカートリッジとカートリッジハウジングとを含むフィルタアセンブリをフィルタヘッドに設置する方法を提供する。この方法は、フィルタカートリッジ及びハウジング含むフィルタアセンブリをフィルタヘッドに配置する工程を有する。フィルタヘッドは、固定リングと固定スリーブとを保持するブロックを含む。固定リングは複数の指を有す。固定スリーブは、管状壁を含み、カラーが固定スリーブの管状壁を取り囲こみかつ固定スリーブの管状壁から突き出ている。固定スリーブは、第１の固定された位置から固定されていない位置まで固定リングに対して回転可能である。第１の固定された位置は、固定リング中の複数の指からと一直線上に並んでいない複数の指収容開口部を含み、固定されていない位置は、固定リング中の複数の指と一直線上にある複数の指収容開口部を含む。この方法は、配置する間に、フィルタアセンブリを固定スリーブに押し付けて固定スリーブを回転させ、かつ固定スリーブを固定された位置から固定されない位置まで移動させ、固定リングの指を固定スリーブの指収容開口部に一直線上に並べる工程と、次に、フィルタヘッドに対してフィルタアセンブリと固定リングの両方を軸方向に移動する工程と、次に、フィルタアセンブリをフィルタヘッドに作動可能に接続する工程とを有する。
【００１０】
本開示に従ういくつかの選択された利点を有する構成物において、本明細書に記載される特徴の全てが構成物に組み込まれる必要はないことを注目すべきである。
【図面の簡単な説明】
【００１１】
【図１】本願発明の原理に基づいて組み立てられたフィルタヘッド、カートリッジハウジング及びフィルタカートリッジを含むフィルタシステムの斜視図である。
【図２】図１のフィルタシステムの断面斜視図である。
【図３】図１のフィルタヘッドの斜視図である。
【図４】図３のフィルタヘッドの断面斜視図である。
【図５】図１のフィルタヘッドと共に使用されるフィルタアセンブリの斜視図であり、フィルタアセンブリがフィルタカートリッジ及びカートリッジハウジングを含む図である。
【図６】図５のフィルタアセンブリの横断面斜視図である。
【図７】図１、図２、図５及び図６で使用されるフィルタカートリッジの斜視図である。
【図８】図７のフィルタカートリッジの横断面斜視図である。
【図９】図３のフィルタヘッドと共に使用可能であるフィルタカートリッジ及びカートリッジハウジングを含むフィルタアセンブリの代替実施例の斜視図である。
【図１０】図９のフィルタアセンブリの横断面斜視図である。
【図１１】図１〜図４のフィルタヘッドで利用されるアダプタアセンブリの斜視図である。
【図１２】固定スリーブ、固定バネ、及び固定リングを含む図１１のアダプタアセンブリの横断面斜視図である。
【図１３】アダプタアセンブリ、固定スリーブ、固定バネ及び固定リングを示す図１１及び図１２のアダプタアセンブリの分解斜視図である。
【図１４】図３のフィルタヘッドの下部部分の斜視図であり、アダプタアセンブリを見ることができる図である。
【図１５】その中に設置されている適切なフィルタカートリッジが無い状態で、かつカートリッジハウジングをフィルタヘッドと接続する試みがなされた場合にアダプタアセンブリの部分と係合するインナーライナの部分を示すために一部が削除された状態の図５と図６のフィルタカートリッジハウジングの部分斜視図である。
【図１５Ａ】図１５に示されるフィルタカートリッジハウジングの部分拡大図である。
【図１６】フィルタヘッドへのフィルタアセンブリの接続を可能にするためにアダプタアセンブリを開くことができないキーリングのないフィルタカートリッジを有するフィルタアセンブリの部分横断面斜視図である。
【図１６Ａ】図１６の部分の拡大図である。
【図１７】図１１のアダプタアセンブリの低部の斜視図である。
【図１８】図１７のアダプタアセンブリの分解斜視図であり、組み立てられた固定リング、固定バネ、及び固定スリーブから取外されたアダプタを示す図である。
【図１９】第１の固定された位置中のフィルタカートリッジ固定スリーブ、固定バネ、固定リング及びキーリングの斜視図であり、キーリングの部分が固定スリーブ中の指収容開口部と一直線上に並んでいない状態である図である。
【図２０】アダプタとフィルタカートリッジの端部キャップの残された部分を更に示す、図１９のアセンブリの横断面斜視図である。
【図２１】キーリングの部分が固定スリーブの上の溝と一直線上に並んでいることを示している第１の固定された位置での図１９のアセンブリの斜視図である。
【図２１Ａ】図２１の部分拡大斜視図である。
【図２２】図１９と図２１のアセンブリの斜視図であり、第２の固定位置にあるアセンブリを示す図である。
【図２３】図２２と同様の斜視図であるが、固定されていない位置に回転される直前の第２の固定化された位置にあるスリーブとキーリングだけを示す図である。
【図２４】図２３に示されたものと同様である第２の固定位置中の固定スリーブとキーリングの斜視図である。
【図２５】固定スリーブの斜視図である。
【図２６】第２の固定された位置にあり、固定されていない位置にに動こうとしている図２４の固定スリーブとキーリングの別の斜視図である。
【図２７】固定されていない位置の固定スリーブと固定リングを示す斜視図である。
【図２８】固定されていない位置の図１７のアダプタアセンブリの断面斜視図である。
【図２９】固定されていない位置で完全に係合しているフィルタシステムの部分の断面斜視図である。
【図３０】図９と図１０で示したようなスピンオンフィルタカートリッジの一部の断面斜視図であり、固定された位置のスピンカートリッジを示す図である。
【図３１】スピンオンアセンブリの図３０に類似する図であるが、この場合、スピンオンフィルタカートリッジが固定されていない位置にある図である。
【図３２】フィルタヘッドの一部の別の実施例の断面斜視図である。
【図３３】フィルタヘッドの一部の別の実施例の断面図である。
【図３４】前に説明したシステムで使用可能な端部キャップの別の実施例の平面図である。
【図３５】図３４の端部キャップの断面視図であり、断面は図３４の線３５−３５に沿っ得られる図である。
【図３５Ａ】図３５の部分Ａに示される図３５の断面の部分拡大図である。
【図３６】図３４と図３５の端部キャップとともに使用可能なキーリングの第２実施例と協同する図３４と図３５の端部キャップの分解斜視図である。
【図３７】本開示の原理に従って作られたフィルタシステムの別の実施例の断面視図である。
【図３８】図の説明のために一部が除去された図３７のフィルタカートリッジハウジングの斜視図であり、カートリッジハウジングを適切なフィルタカートリッジがその中に設置されていない状態でフィルタヘッドに接続する試みがなされた場合に、アダプタアセンブリの部分に係合するインナーライナの部分を示す図である。
【図３９】図３８のフィルタカートリッジハウジングの平面図である。
【図４０】前に説明されたシステムで使用可能な固定リングの別の実施例である。
【発明を実施するための形態】
【００１２】
Ａ  概要
フィルタアセンブリとフィルタヘッドを含むろ過システムの例示の実施例を、添付の図に示す。図に示されていない多くの実施例が想定されることを理解すべきである。図１は、フィルタヘッド４２とフィルタアセンブリ４４を含むフィルタシステム４０を示す。
【００１３】
図１は、完全に組立てたフィルタシステム４０を示すが、図２は、フィルタシステム４０の断面図を示す。フィルタアセンブリ４４は、フィルタヘッド４２に選択的に接続可能かつ取付け可能である。フィルタヘッド４２は、他の装置、例えば、エンジンの潤滑油システム、エンジンの燃料システム、高効率の装置の油圧システム及び工業用発電機の適切なシステムなどに接続される。
【００１４】
フィルタアセンブリ４４は、フィルタカートリッジ４６とカートリッジハウジング４８を含む。フィルタカートリッジ４６は、カートリッジハウジング４８に取外し可能でかつ取替え可能なフィルタカートリッジ４６であり得る。あるいはまた、フィルタカートリッジは、スピンオンフィルタアセンブリ５０（図９と図１０）の一部であり、フィルタカートリッジ５２は缶５４に永久的に取付けられるかもしれない。
【００１５】
例示の実施例では、フィルタシステム４０は、ロックアウト機能（lock−out feature）を含む。一般に、ロックアウト機能は、フィルタシステム４０が適切なフィルタカートリッジ４６またはフィルタカートリッジ５２をその中に設置しない状態で装置が作動しないようにする。
【００１６】
以下は、例示の実施例のみを示す。本開示の範囲から逸脱せずに、さまざまな実施を行うことができる。図を明瞭にするために参照番号の全てを各図に示していない。
【００１７】
Ｂ  例示のフィルタカートリッジ  図７〜１０
ここで、第１実施例のフィルタカートリッジ４６を示す図７と図８を参照すると、フィルタヘッド４２と取外し可能に接続するためのフィルタカートリッジ４６が提供される。この実施例では、フィルタカートリッジ４６は、ボウルカートリッジフィルタアセンブリ４５（図５と図６）の一部としてカートリッジハウジング４８から取外し可能で取替え可能なフィルタカートリッジである。
【００１８】
図７と図８の実施例では、フィルタカートリッジ４６は、第１端部キャップ５６を含む。ここで示されたものでは、第１端部キャップ５６は、開いている第１開口部５８を有する。第１端部６１と第２端部６２を有するフィルタ媒体６０の管状構造物は、開いているフィルタ内部６４を画定する。第１端部キャップ５６によって画定された第１開口部５８は、開いているフィルタ内部６４と連通する。フィルタ媒体６０の第１端部６１は、例示の実施例では、第１端部キャップ５６に固定されている。目的のろ過システムに対して適切な媒体であるフィルタ媒体６０を選択することができる。多くの通常の実施例では、セルロース物質、合成物質、またはそれらの混合物から作られたひだ付き媒体を含むだろう。
【００１９】
この実施例では、フィルタ媒体６０の第２端部６２に固定されている第２端部キャップ６８もまたある。この例示の実施例は、第２端部キャップ６８は、開いているフィルタ内部６４と連通する開いている第２開口部７０を画定することをさらに示している。図９と図１０と関連して説明されるスピンオンフィルタアセンブリ５０では、第２端部キャップ６８は閉じた端部キャップであり、開いているフィルタ内部６４と連通する開いた開口部を画定しない。
【００２０】
この実施例では、第１端部キャップ５６は、開いている第１開口部５８に沿って並ぶ内壁７２と、フィルタ媒体６０を取り囲む外壁７４と、内壁７２と外壁７４との間に延びている横方向基部７６とを有する。また、横方向基部７６は、フィルタ媒体６０の第１端部６１を覆っている。この実施例の第１端部キャップ５６は、さらに、第１端部キャップ５６の外壁７４から半径方向外側に延びている複数の半径方向の突起物７８（図７）を含む。半径方向の突起物７８は、カートリッジハウジング４８中のカートリッジ４６を中心に配置するのを補助する。
【００２１】
この実施例では、第１端部キャップ５６は、軸方向に延びているネック８０を画定する。示された実施例では、ネック８０は、横方向基部７６から軸方向に延びているか、または突き出ており、対向する半径方向外面８２と半径方向内面８４とを画定する。
【００２２】
一般に、第１端部キャップ５６は、第１端部キャップシール部材８６を保持するために使用することができる。第１端部キャップシール部材８６は、フィルタカートリッジ４６とフィルタヘッド４２との間でシール８８（図２）を形成するために使用される。
【００２３】
示された実施例では、第１端部キャップシール部材８６は、ネック８０によって保持される。例示の特定の実施例では、第１端部キャップシール部材８６は、ネック８０の半径方向外面８２で保持される。
【００２４】
図７と図８の実施例では、第２端部キャップ６８は、第１端部キャップ５６と同様に作られ、開いている第２開口部７０に沿って並んでいる内壁９０と、フィルタ媒体６０を取り囲む外壁９２と、内壁９０及び外壁９２の間に延びている横方向基部９４とを有する。この実施例では、横方向基部９４は、フィルタ媒体６０の第２端部を覆う。例示の実施例では、第２端部キャップは、更に、軸方向に延びているネック９６を含む。ネック９６は、横方向基部９４から、フィルタ媒体６０から離れる方向に延びているか、または突き出ている。ネック９６は、対向する半径方向内面９８と半径方向外面９９とを含んでいる。示された実施例では、ネック９６は、内壁９０と外壁９２とからそれぞれ間隔をあけて配置されている。
【００２５】
この実施例では、第２端部キャップ６８は、更に、第２端部キャップシール部材１０２を一般的に保持する。第２端部キャップシール部材１０２は、カートリッジハウジング４８とシール１０４（図２）を形成するためのものである。示された実施例では、第２端部キャップシール部材１０２は、ネック９６の半径方向内面９８で保持される。
【００２６】
図９と図１０のスピンオンアセンブリ５０では、第２端部キャップ６８は閉じた端部キャップであるので、第２端部キャップ６８にシール部材の必要はない。したがって、図９と図１０のスピンオンアセンブリの実施例では、第２端部キャップ６８は、いかなる種類のシール部材も保持しない。
【００２７】
再び図７と図８の実施例を参照すると、第２端部キャップ６８は、第２端部キャップの外壁から半径方向に延びているか、または突き出ている突起物１０６を含む。突起物１０６は、突起物７８と同様の機能を有し、互いに円周方向に間隔をあけて配置されており、突起物１０６は、カートリッジ４６を中心に配置し、かつカートリッジ４６をカートリッジハウジング４８の内壁から間隔を空けて配置するのを補助する。
【００２８】
本開示の原理によると、フィルタカートリッジ４６は、キーリング（鍵環key ring）１１０をさらに含む。キーリング１１０は、以下に説明するような突起物を提供するためのものであり、キーリング１１０がフィルタヘッド４２のロックアウトアセンブリと係合して、フィルタカートリッジ４６がフィルタヘッド４２に接続することを可能にするだろう。示された実施例では、キーリング１１０は、ネック８０の半径方向内面８４に配置される。この実施例では、キーリング１１０は、開いている第１開口部５８を取り囲んでいる。
【００２９】
一般に、フィルタカートリッジ４６は、キーリング１１０と、キーリング１１０から開いている第１開口部５８に延びている少なくとも第１突起物１１４及び第２突起物１１５を含んでいる。第１突起物１１４は、キーリング１１０に沿って垂直方向に第２突起物１１５から間隔をあけて配置されている。また、第１突起物１１４は、キーリング１１０に沿って円周方向に第２突起物１１５から間隔をあけて配置されている。フィルタカートリッジ４６がフィルタヘッド４２に接続されると、第１突起物１１４及び第２突起物１１５は、フィルタカートリッジ４６がフィルタヘッド４２に接続することを可能にする、フィルタヘッド４２のロックアウトアセンブリと係合する。
【００３０】
例示の実施例では、第１突起物１１４と第２突起物１１５は、互いに５０度以内の角度で円周方向に間隔をあけて配置されている。多くの実施例では、第１突起物１１４と第２突起物１１５は、３５度以上の角度で、例えば、キーリング１１０の内側の円周方向に沿って互いに４０〜４３度の角度で配置されている。
【００３１】
好ましい実施例では、開いている第１開口部５８は、円形であり、かつ内径を画定する。好ましくは、第１突起物１１４及び第２突起物１１５の間の垂直方向距離は、開いている第１開口部５８の内径の２〜３０％であり、例えば、約８〜１５％であり、より好ましくは、開いている第１開口部の内径の約１１〜１２％である。多くの実施例では、第１突起物１１４は、開いている第１開口部５８中に開いている第１開口部５８の内径の４０％以下の範囲で延びており、通常は、開いている第１開口部５８中に開いている第１開口部５８の内径の１０％以下の範囲で、例えば、０．５〜３％の範囲で延びている。同様に、第２突起物１１５は、開いている第１開口部５８中に開いている第１開口部５８の内径の４０％以下の範囲で延びており、通常は、開いている第１開口部５８中に開いている第１開口部５８の内径の１０％以下の範囲で、例えば、０．５〜３％の範囲で延びている。例示の実施例では、第１突起物１１４及び第２突起物１１５は、開いている第１開口部５８中に同じ長さで延びている。他の実施例では、第１突起物１１４及び第２突起物１１５のうちの１つは、他方より長い場合がある。
【００３２】
ここで、キーリング１１０の斜視図である図２１に注目すると、図２１は、わかりやすくするために、フィルタカートリッジ４６の他の部分から取外されたときのキーリング１１０を図示している。図２１のキーリング１１０は、以下でさらに説明するために、フィルタヘッド４２と連結するロックアウト機構の一部と接続して示されている。図２１では、キーリング１１０が、キーリング１１０から開いている第１開口部５８中に延びている少なくとも１つの第３突起物１１６をどのようにさらに含んでいるかを理解することができる。第３突起物１１６は、第１突起物１１４と第２突起物１１５とから円周方向に間隔をあけて配置されている。第３突起物１１６は、第１突起物１１４または第２突起物１１５のどちらかの１つだけから垂直方向に間隔をあけて配置されている。言い換えれば、第３突起物１１６は、第１突起物１１４または第２突起物１１５のどちらかの１つだけとキーリング１１０に沿って同じ垂直方向の距離で均等に間隔をあけて配置されている。
【００３３】
図２１では、例示の実施例では、さらに少なくとも第４突起物１１７を含むことを理解できる。第４突起物１１７は、内壁１１１から半径方向内部にそれぞれ延びている第１突起物１１４、第２突起物１１５、及び第３突起物１１６と同様の方法でキーリング１１０の内壁１１１から半径方向内部に延びている。また第４突起物１１７は、第１突起物１１４、第２突起物１１５、第３突起物１１６から円周方向に間隔をあけて配置されている。第４突起物１１７は、第１突起物１１４、第２突起物１１５または第３突起物１１６のうちの２つだけから垂直方向に間隔をあけて配置されている。言い換えれば、第４突起物１１７は、他の突起物１１４、突起物１１５、突起物１１６のうちの１つだけと垂直方向の位置が等しい。
【００３４】
例示の特定の実施例では、第３突起物１１６は、第２突起物１１５と第４突起物１１７から垂直方向に間隔をあけて配置されているが、第３突起物１１６は、垂直方向に第１突起物１１４と同じ位置である。また、例示の実施例では、第４突起物１１７は、第２突起物１１５と垂直方向に同じ位置であるが、第４突起物１１７は、第１突起物１１４と第３突起物１１６から垂直方向に間隔をあけて配置されている。
【００３５】
図２１の実施例は１１４で第１突起物を特定しているが、第１突起物１１４は、第３突起物１１６の物理的位置に配置することができる。同様に、第２突起物は、参照番号１１５の位置に示されているが、第２突起物は第４突起物１１７の位置にあるかもしれない。言い換えれば、１つの想定された実施例では、突起物の配置は、１１４に配置される突起物と１１５に配置される突起物だけを含むことができる。別の変更では、１１４だけの突起物と、１１７だけの突起物を含むような突起物の配置を含む。別の突起物の配置の変更では、１１６と１１７だけの突起物を含む。別の変更では、１１５の突起物だけと１１６の突起物だけを含んでいる。例示の特定の実施例では、突起物の配置、例示された４つの突起物１１４、１１５、１１６、１１７を含んでいる。図２１の実施例では、４つの突起物しか示されていないが、追加の突起物は、システム４０の他の特徴と協力することを補助するように利用することができる。
【００３６】
示された実施例では、４つの突起物のうちの２つは、円周方向に互いに４５度以内の角度で、例えば、互いに約４０〜４３度の角度で間隔をあけて配置されているが、４つの突起物のうちの残りの２つは、互いに４５度以内の角度で、例えば、互いに約４０〜４３度の角度で間隔をあけて配置されている。図２１に示す実施例では、第１突起物１１４と第２突起物１１５は、互いに４５度以内の角度で円周方向に間隔をあけて配置されているが、第３突起物１１６と第４突起物は、互いに４５度以内の角度で円周方向に間隔をあけて配置されている。一般に、好適な実施例では、第１突起物１１４と第２突起物１１５は、円周方向に互いに５０度以内の角度で間隔をあけて配置されている。
【００３７】
いくつかの構成物では、突起物の１つは他の突起物に対して４５度以上の角度で配置されるだろう。例えば、１１４で第１突起物を含み、第２突起物が位置１１７に配置されいる実施例を想定する。そのような実施例では、突起物は互いに４５度以上の角度で配置されている。そのような場合、第１突起物１１４と参照番号１１７で配置される突起物は、互いに円周方向に４５度以上の角度で間隔をあけて配置されていると言うことができる。類似の実施例は、位置１１５と位置１１６だけに配置されている突起物を含むだろう。
【００３８】
例示のシステムでは、キーリング１１０は、第１端部キャップ５６から分離している。なぜならキーリング１１０は、取付けの第１段階の間に、第１端部キャップ５６と中央ライン（中央長手軸）の周りで回転することができる必要があり、次に、取付けの第２段階の間に、第１端部キャップ５６が回転し続けるが、キーリング１１０は回転することができないことが必要であるからである。第１段階では、フィルタカートリッジ５２は、カートリッジハウジング４８に取付けられ、第２端部キャップ６８と、カートリッジハウジング４８の一部である壁１５０（図６）との間でシール１０４（この例では半径方向シール）によって回転可能にカートリッジハウジング４８に固定される。この時点で、キーリング１１０は、カートリッジハウジング４８をフィルタヘッド４２に取付ける技術者が、キーリング１１０の突起物１１４〜１１７を固定リング１７８中の適切なスロットに適切に並べるように、フィルタカートリッジ５２とカートリッジハウジング４８を共に回転すべきである。いったん、突起物１１４〜１１７が固定リング１７８中のスロットと適切に一直線上に並べられると、更なる軸方向上向きの運動は、キーリング１１０が中心ラインの周りで回転できないようにするだろう。キーリング１１０は、中央ラインの周りで回転することができないが、フィルタヘッド４２に向かう方向の軸方向上向きに移動するかもしれない。このことは、第１端部キャップ５６が回転しかつ軸方向上向きに移動することの両方をし続けるかもしれない。
【００３９】
第１端部キャップ５６に対してキーリング１１０の選択的回転機能を実施する方法は、多くの異なる方法でなし得る。１つの方法は、図３４〜図３６に示され、以下でさらに説明する。この実施例では、摩擦誘引構造物（friction-inducing structure）は、例えば、摩擦リング１２０で例示され、使用される。
【００４０】
摩擦リング１２０は、キーリング１１０の半径方向外面１１２（図２１、図２１の溝１１３内）とネック８０の半径方向内面８４との間にある。摩擦リング１２０は、第１端部キャップ５６に固定されているキーリング１１０を保持するが、回転力下では、キーリング１１０は、第１端部キャップ５６に対して中央の長手方向軸の周りで回転可能に移動することを可能にする。摩擦リング１２０は、フィルタアセンブリ４４をフィルタヘッド４２とともに組み立てるときに補助する。摩擦リング１２０は、端部キャップ５６の表面とキーリング１１０の間で、キーリング１１０が端部キャップと共に回転することを可能にするために十分な抗力を生成するために使用することができるが、いったん突起物１１４〜１１７が固定リング１７８のスロット中で上向きに移動始めると、キーリング１１０は、軸方向の上向きだけに移動し、端部キャップ５６は、回転と軸方向上向きに移動する。
【００４１】
この実施例では、キーリング１１０は、円周方向に複数の間隔をあけて配置されている開いたスロット１２６を画定する軸方向端部１２４をさらに含む。スロット１２６は、フィルタカートリッジ４６がフィルタヘッド４２上に取付けられるとき、フィルタヘッド４２の部分を受け取るために提供される。このことは、以下でさらに説明する。
【００４２】
ここで、図９と図１０を参照して、さらにスピンオンフィルタアセンブリ５０について説明する。以上説明したように、フィルタカートリッジ５２は、この実施例では缶５４であるカートリッジハウジングに永久的に接続される。図７と図８のフィルタカートリッジ４６に対する同じ参照番号は、図９と図１０のカートリッジ５２の特徴に対して使用される。図７と図８のカートリッジに対する図９と図１０のカートリッジの主要な差異の１つは、第２端部キャップ６８である。第２端部キャップは、図９と図１０のスピンオンの実施例では閉じられている。図９と図１０の実施例では、インナーライナ１２８は、フィルタ媒体６０を支えるのを補助するようにフィルタ媒体６０の内部にある。この実施例では、外側フィルタ支持体１３０は、フィルタ媒体６０の半径方向外側部分を支持することができることが理解できる。この実施例では、外側フィルタ支持体１３０は、一連のポリマビーズ（polymer beads）として示される。
【００４３】
図９と図１０の実施例では、第１端部キャップ５６は、第１端部キャップ５６の基部７６から軸方向に延びているか、または突き出ている複数の軸方向突起物１３２を含んでいる。軸方向突起物１３２は、缶５４の部分と係合して、フィルタカートリッジ５２が、缶５４とフィルタ媒体６０との間で流体の流れを可能にするように缶５４の内壁から間隔をあけて配置されることを確実にすることを補助する。
【００４４】
缶５４は、一つの端部に閉じた端部１３４と反対の端部に開いている口部１３６とを含む。開いている口部１３６は、フィルタヘッド４２に作動可能に接続するように組み立てられ、かつ配置されている。示された実施例では、開いている口部１３６に隣接している缶５４の内壁は、フィルタヘッド４２のねじ山と係合するように組み立てられかつ配置されているねじ山１３８を含む。
【００４５】
ここで図５と図６に示すボウルフィルタアセンブリ４５に戻ると、この実施例では、カートリッジハウジング４８は、ボウル１４０である。フィルタカートリッジ４６は、ボウル１４０から取外し可能で取替え可能である。ボウル１４０は、閉じた端部１４２と対向する開いている口部１４４を含む。閉じた端部１４２は、ボウル１４０から水を抜くのに使用することができるバルブ排水構成物か、または他の種類のプラグを含み得る。例示の実施例では、ボウルの閉じた端部１４２のバルブかまたは排水構造よりもむしろ、ボウル１４０にインナーライナ１４８を固定するために使用される締め具１４６を示す。インナーライナ１４８は、ボウル１４０に取付けられ、フィルタカートリッジ４６は、インナーライナ１４８の上方でインナーライナ１４８に周囲に取外し可能に固定される。図６の実施例で理解できるように、インナーライナ１４８は、好ましくは、フィルタ媒体６０の長さだけ延びている。インナーライナ１４８は、多孔性であり、そこを通過する液体流れを可能にする。インナーライナ１４８は、ろ過の間にフィルタ媒体６０を半径方向に支持し、かつ保持するのを補助する。
【００４６】
図１５と図１５Ａに図示された実施例では、どのようにインナーライナ１４８が端部リム１５４に隣接するインナーライナ１４８から半径方向内部に突き出ている複数のタブ１５１を含んでいるかを理解することができる。以下にさらに説明されるように、フィルタカートリッジ４６なしでボウル１４０を、あるいは、キーリング１１０を持っていないフィルタカートリッジを取付ける試みがなされた場合、ボウル１４０は、フィルタヘッド４２の周囲壁１５８上のねじ山１５９とボウル１４０上のねじ山１５２を係合するのに十分近くまで移動することができない。
【００４７】
また、図６で理解できるように、インナーライナ１４８は、第２端部キャップ６８の下にあるように示されている固体の非多孔性の周囲壁１５０を有する。周囲壁１５８は、そこにシール１０４を形成するために第２シール部材１０２のためのシール面を供給する。
【００４８】
ボウル１４０は、口部１４４に隣接するねじ山１５２を含む。ねじ山１５２は、フィルタヘッド４２に取外し可能に接続するためのものである。
【００４９】
Ｃ．例示のフィルタヘッド：図３と図４
ここで、フィルタヘッド４２の概要図を提供する。図１〜４を、特に、図３と図４を参照すると、フィルタヘッド４２の例示の実施例が示される。フィルタヘッドは、内部空間１６０（図４）を画定する周囲壁１５８を有するフィルタブロック１５６を含む。フィルタブロック１５６は、ろ過されていない液体を取り入れるための入口部１６２とろ過された液体を出力するための出口部１６４を画定する。図示された例示の実施例では、入口部１６２と出口部１６４は、前進流れフィルタシステムのために設定されており、このシステムでは、流体は、入口部１６２を通ってフィルタヘッド４２に入り、フィルタ媒体６０の外部を取り巻いてフィルタヘッド４２を通過しフィルタ内部に入り、次に、フィルタヘッド４２の出口部１６４を通過する。すなわち、流れは「標準流れ」である。他の構成では、フィルタシステム４０は、逆の流れのために設定されており、このシステムでは、流体は、フィルタヘッド４２からフィルタ内部６４に入り、次に、フィルタ媒体６０を通り、次に、フィルタヘッド４２の出口部１６４を通過する。
【００５０】
アダプタ１６６は、フィルタブロック１５６に固定されている。アダプタ１６６は、フィルタブロックの内部空間１６０内でフィルタブロック１５６に固定されている。アダプタ１６６は、内部管状壁１７０を取り囲んでいる外面１６８（この例では、外部表面１６８は漏斗状表面１６８である）を含む。用語漏斗状表面の使用によって、外面１６８は、フィルタアセンブリ４４の向きで内部管状壁１７０に向かってテーパ状になっていることを意味する。内部管状壁１７０は、半径方向外面１７２と半径方向内面１７４を有する。内部管状壁１７０は、示された実施例では、フィルタブロック１５６に固定されたねじ接続１７６で固定されている。示された実施例では、内部管状壁１７０は、ろ過された液体が開いたフィルタ内部６４から内部管状壁１７０を通過し、次に、出口部１６４を通過して流れるように、開いているフィルタ内部６４と開いたフィルタ連通する出口流路を形成する。
【００５１】
アダプタ１６６に固定されている固定リング１７８と、固定スリーブ１８０と、固定バネ１８２もまたフィルタヘッド４２中に含まれる。これらのコンポーネントのそれぞれは、以下でさらに説明されるフィルタロックアウト機構に連結している。
【００５２】
第２実施例では、フィルタヘッド４２ａは、図３２に示される。フィルタヘッド４２ａは、フィルタヘッド４２に対して説明されかつ示された多くの同様な特徴の多くを含んでいる。そういうものとして、特徴が本質的には同じであるところで同じ参照番号が使用される。フィルタヘッド４２に対する全体の説明は、図３２に示される実施例に対してここで合体される。示されるように、フィルタヘッド４２ａは、フィルタヘッド４２ａがテーパ状でない外面１６８ａを有するアダプタ１６６ａを有するという点においてフィルタヘッド４２と異なっている。その代わりに、外表面１６８ａは、一般に、内部管状壁１７０と平行である。したがって、アダプタ１６６の外面は、本明細書に示された概念から逸脱することなしに多くの形状と構成を取ることが可能である。
【００５３】
第３実施例では、フィルタヘッド４２ｂは図３３に示される。フィルタヘッド４２ｂは、フィルタヘッド４２に対して説明されかつ示されたのと多くの同じ特徴を含む。そういうものとして、特徴が本質的には同じであるところで同様の参照番号が使用される。フィルタヘッド４２に対する全体の説明は、図３３に示された実施例に対してここに合体される。示されたように、フィルタヘッド４２ｂは、２つの点でフィルタヘッド４２と異なる。最初に、アダプタ１６６ｂは、漏斗状表面であるよりむしろ内部管状壁１７０に一般的に平行である外面１６８ｂを含む。第２に、アダプタ１６６ｂは、ねじ山接続１７６によって固定される代わりにフィルタブロック１５６の一体部分として形成される。また、アダプタアセンブリ１６６と１６６ａがフィルタブロック１５６と同様に一体的に形成されることができるという等しい可能がある。
【００５４】
Ｄ.アダプタアセンブリアセンブリ１８６
ここで、アダプタアセンブリ１８６を例示する図１１〜１３を参照する。この実施例では、アダプタアセンブリ１８６は、アダプタアセンブリ１６６と、固定スリーブ１８０と、固定バネ１８２と固定リング１７８を含む。
【００５５】
図１２で理解することができるように、漏斗状表面１６８は、固定リング１７８と固定スリーブ１８０と同様に、内部管状壁１７０を取り囲む。固定バネ１８２は、固定リング１７８と固定スリーブ１８０の間で固定リング１７８と固定スリーブ１８０に配置されている。固定バネ１８２の機能は、以下でさらに説明される。
【００５６】
固定リング１７８の１つの実施例を図１３の分解斜視図に示す。この実施例では、固定リング１７８は、中央開口部１９２を画定するか、または取り囲む、対向する第１軸方向表面１８９及び第２軸方向表面１９０ととも平らな基部１８８を含む。アダプタアセンブリ１６６の内部管状壁１７０は、固定リング１７８の中央開口部１９２内に適合する。複数の指１９４は、軸方向の第１の軸方向表面１８９から突き出ており、かつ第１の軸方向表面１８９から離れる方向に突き出ている。図１３の実施例では、４つの円周方向に間隔をあけて配置されている指１９４があり、指１９４は、平らな基部１８８の第１の軸方向表面１８９の周りに均等に間隔をあけて配置されている。この実施例では、指１９４のそれぞれは、一般的に台形状の半径方向表面１９６を有する。指１９４の機能について以下でさらに説明する。
【００５７】
また図１３を参照すると、この実施例では、固定リング１７８は、さらにスカート１９８を含む。スカート１９８は、第２の軸方向表面１９０から指１９４が突き出ている方向から反対の方向に延びているか、または突き出ている。スカート１９８は、複数の開いているスロット２００を画定する。スロットは、基部１８８から離れている端部リム２０２から開いており、スカート１９８に沿って内部で延びている。スロット２００は、以下で説明されるように、突起物１１４、突起物１１５、突起物１１６、突起物１１７によって固定スリーブへのアクセスを提供する。
【００５８】
ここで、図１８を参照すると、示された実施例の固定リング１７８は、さらに平らな基部１８８とスカート１９８の半径方向の外面２０７との間に延びている複数のガセット２４６を含む。フィルタカートリッジ４６が作動可能にフィルタヘッド４２上に取付けられる場合に、キーリング１１０（図７）中のスロット１２６は、固定リングのガセット２４６を収容する。
【００５９】
また、図１２を参照すると、この実施例では、固定リング１７８のスカート１９８は、複数の半径方向タブ２０４を含む。スカート１９８の内側の半径方向表面２０６から延びている半径方向タブ２０４が示される。半径方向外面２０７は、スカート１９８の半径方向内面２０６の反対面から延びている。半径方向タブ２０４は、以下で説明されるように、アダプタアセンブリ１６６に対して固定リング１７８を保持するのを補助する。
【００６０】
アダプタアセンブリ１６６の内部管状壁１７０は、少なくとも２つの間隔を開けて配置され、長手方向に延びている突き出ている尾根２１０、尾根２１１（図１８）と、外側の半径方向面１７２上に少なくとも２つの間隔をあけて配置されている半径方向に突き出ている尾根２１２、尾根２１３とを含んでいる。図１２に示される実施例では、半径方向尾根２１２、尾根２１３は、内部管状壁１７０の端部リム２１４にある。スカート１９８の半径方向タブ２０４は、アダプタアセンブリ１６６の半径方向外面１７２上の半径方向に突き出ている尾根２１２、尾根２１３の下にはまる。このことは、アダプタアセンブリ１６６に対して固定リング１７８を適所に保持するのを補助する。アダプタアセンブリ１６６の内部管状壁１７０上の長手方向の尾根２１０、尾根２１１は、以下で説明するように固定スリーブ１８０中で開口部と協力する。
【００６１】
また図１３を参照すると、固定スリーブ１８０は、開口部２１７を画定する管状壁２１６を含む。図１２で理解することができるように、開口部２１７は、管状壁２１６がアダプタアセンブリ１６６の内部管状壁１７０の半径方向外面１７２に対面しかつ取り囲む大きさに作られている。図示される実施例において、固定スリーブの管状壁２１６は、管状壁２１６に沿って複数の溝２１８を有する。図１３で理解することができるように、半径方向外側に突き出ている長手方向の尾根２２４内に画定される少なくとも第１溝２２１と第２溝２２２がある。溝２２１、２２２は、管状壁２１６の端部リム２２８に沿って存在する尾根２２４の間の開口部２２６によって尾根２２４の間でアクセス可能である。
【００６２】
図２５を参照すると、第１溝２２１は、開口部２２６に隣接する第１斜面２３０を含む。第１斜面２３０は、長手方向の尾根２２４の１つによって画定され、リム２２８と開口部２２６に隣接している。第１斜面２３０は、以下に説明されるような第１突起物１１４かまたは第３突起物のいずれかと係合するためのものである。
【００６３】
同様に、第２溝２２２は、尾根２３３によって画定される第２斜面２３２を含む。第２斜面２３２は、リム２２８から間隔をあけて配置されており、さらに、第１斜面２３０よりも管状壁２１６に沿って間隔を置いて配置されている。第２斜面２３２は、以下でさらに説明するように第２突起物１１５かまたは第４突起物に係合するものである。
【００６４】
また図１３を参照すると、本実施例の固定スリーブ１８０はさらにカラー２３６を含む。図示された実施例では、カラー２３６は、固定スリーブの管状壁２１６を取り囲み、固定スリーブの管状壁２１６から突き出ている。カラー２３６は、管状壁２１６を取り囲む縁２３７を形成する。複数の指収容開口部２３８がカラー２３６を通過して延びている。指収容開口部２３８は、アダプタアセンブリ１８６が固定されていない位置にあるとき、固定リング１７８の指１９４を収容するような大きさに構成されている。
【００６５】
図１３で理解することができるように、複数の半径方向のガセット２４０は、管状壁２１６とカラー２３６の間で、カラー２３６の縁２３７の上部部分の周りにある。ガセット２４０は、スリーブ１８０を強化するのを補助する。
【００６６】
また図２５を参照すると、固定スリーブの管状壁２１６は、１組の長手方向の開口部２４２を画定する。開口部２４２は、開いており、端部リム２２８からアクセス可能であり、管状壁２１６中のギャップとして画定される。アダプタアセンブリ１６６の内部管状壁１７０の長手方向の尾根２１０、２１１（図１８）が、固定スリーブ１８０の開口部２４２内にある。このことは、開口部２４２のエッジ２４４と尾根２１０、２１１（図１２）との間の動作範囲においてアダプタアセンブリ１６６に対して固定スリーブの回転を限定することを補助する。
【００６７】
この実施例では、固定バネ１８２は、渦巻状金属バネ２４８として示される。固定バネ１８２は、図１２で理解することができるように、固定スリーブ１８０の管状壁２１６の周りに配置されている。固定バネ１８２は、固定リング１７８の基部１８８の第１軸方向表面１８９とポケット２５２（図１２と２６）の間に配置されている。ポケット２５２は、カラー２３６と固定スリーブ１８０の管状壁２１６との間で画定される体積である。カラー２３６の縁２３７の下側の軸方向表面２５０である下側の軸方向表面２５０もまた図２６で見ることができる。
【００６８】
Ｅ．ロックアウト動作
固定スリーブ１８０は、第１の固定された位置から固定されていない位置まで固定リング１７８に対して回転可能である。図１９に第１の固定された位置を示す。第１の固定された位置は、固定リング１７８の複数の指１９４からと一直線上に並んでいない、固定スリーブ１８０の指収容開口部２３８を含む。と一直線上に並んでいないによって、図１９に示すように、指１９４が指収容開口部２３８と一直線上に並べられていないことを意味し、指１１９は、指収容開口部２３８の隣の円周方向に間隔をあけて配置されている。
【００６９】
図２７に固定されていない位置を示す。固定されていない位置は、固定リング１７８中に複数の指１９４と一直線上に並んでいる、指収容開口部２３８を含む。図２７で理解することができるように、指１９４は、指１９４が指収容開口部２３８に入り込むような開口部２３８を有する円周方向の配置であり、このことは、固定リング１７８が固定スリーブ１８０とアダプタアセンブリ１６６に対して軸方向に移動することを可能する。図１９と比較することによって、第１の固定された位置では、指１９４が固定スリーブ１８０の指収容開口部２３８からどのように一直線上に並んでいないかを理解することができ、指１９４の先端１９５がカラー２３６の下側の軸方向表面２５０（図２６）とどのように係合し、この係合により固定リング１７８と固定スリーブ１８０の間の相対的な軸方向の運動をブロックするか、または防げるかを理解することができる。図２７は、固定スリーブ１８０に対して軸方向に上向きに動いた固定リング１７８を示している。なぜなら、指１９４が指収容開口部２３８内で一直線上に並んでいるからである。固定バネ１８２は、図１９で示される第１の固定された位置中の固定スリーブ１８０を保持するためにねじりばね力を印加するように配置されている。
【００７０】
アダプタアセンブリ１８６が図２７の固定されていない位置にあるとき、フィルタカートリッジ４６は、フィルタヘッド４２に作動可能に接続可能である。図１９の第１の固定された位置では、フィルタカートリッジ４６は、フィルタヘッド４２に作動可能に接続することができないだろう。なぜなら図１９のアダプタアセンブリ１８６の相対的な軸方向長さは、カートリッジハウジング４８上のねじ山１５２（または、１３８）がフィルタヘッド４２上のねじ山１５９に接続することを防ぐからである。
【００７１】
また、固定スリーブ１８０は、第１の固定された位置（図１９）から第２の固定された位置（図２２）まで固定リング１７８に対して回転可能である。第２の固定された位置は、図２２で理解できるように、固定リング１７８中の複数の指１９４からと一直線上に並んでいない固定スリーブ１８０の指収容開口部２３８を含んでいる。したがって、第２の固定された位置もまた、アダプタアセンブリ１８６の相対的な軸方向長さによりフィルタカートリッジ４６がフィルタヘッド４２と係合しないようにする。第２の固定された位置は、固定リング１７８と固定スリーブ１８０との間の軸方向の動きを防ぐ。第２の固定された位置は、指収容開口部２３８から円周方向に間隔をあけて配置されており、図１９の第１の固定された位置よりも指収容開口部２３８に近い指１９４を含む。指１９４の先端１９５は、カラー２３６の下側の軸方向表面２５０（図２６）を係合するか、または隣接する。
【００７２】
ハウジング４８によって保持されているフィルタカートリッジ４６を、フィルタヘッド４２に接続しようとするとき、第１突起物１１４と、もし存在する場合に第３突起物１１６とは、キーリング１１０から固定リング１７８のスロットの１つを通過して延びることによって、第１溝２２１の第１斜面２３０（図２５）と係合する。第１突起物１１４と第１斜面２３０との間の係合は、固定スリーブ１８０をバネ１８２の力で回転させ、かつ固定スリーブをアダプタアセンブリ１６６と固定リング１７８に対して回転させ、それにより、第１の固定された位置から第２の固定された位置までアダプタアセンブリ１６６（１６８）を動かす。この回転は、固定リング１７８とフィルタアセンブリがアダプタアセンブリ１６６と固定スリーブ１８０に対して軸方向に動くことを可能する。次に、この回転と軸方向の動きにより、第２突起物１１５（と提供される場合には、第４突起物１１７）と、固定リング１７８のスロット２００を通過する第２溝２２２中の第２傾斜（図２３）との間で接触が起こる。フィルタカートリッジ４６とアダプタアセンブリ１８６との間の継続的な軸方向の圧力により、第２突起物１１５を尾根２３３（図２５）に対して動かし、更に、固定リング１７８に対して、バネ１８２に対する固定スリーブ１８０の回転を引き起こすだろう。最終的に、固定スリーブ１８０と固定リング１７８は、指１９４が指収容開口部２３８と軸方向に一直線上並ぶまで互いに対して回転して動かされる。このことは、次に、指１９４が指収容開口部２３８に入り込むことを許容することによって固定リング１７８が固定スリーブ１８０に対して軸方向に滑るのを可能にする。このことは、次に、アダプタアセンブリ１８６を固定されていない位置（図２７）に置き、次に、フィルタヘッド１４２のねじ山１５９とカートリッジハウジング４８（図２９）のねじ山１３８かまたは１５２との間の接続を可能にする。
【００７３】
図９と図１０のスピンオンの実施例におけるロックアウト機構は、ボウルカートリッジアセンブリ４５に対するものと同様に動作する。図３０と図３１は、固定された位置（図３０）と固定されていない位置（図３１）のスピンオンアセンブリ５０を示す。図３０では、スピンオンカートリッジ５２が適切なキーリング１１０を持っていない場合、その時、ネック８０の端部２５４と固定リング１７８（図１８）の第２の軸方向表面１９０との間の係合は、スピンオンアセンブリ５０とフィルタヘッド４２との間の更なる軸方向の動きを防ぐだろう。このことは、ねじ山１３６とねじ山１３８との適合を防ぐだろう。図３１では、カートリッジ５２上のキーリング１１０は、指１９４が固定スリーブ１８０の指収容開口部２３８に入り込む状態で、図３０の固定された位置から図３１の固定されていない位置までどのようにアダプタアセンブリ１８６を動かしたかを見ることができる。
【００７４】
フィルタカートリッジ４６なしでフィルタボウル１４０をフィルタヘッド４２へ接続しようとすると、タブ１５１（図１５と図１５Ａ）は固定リング１７８の端部リム２０２（図１４）と接触するだろう。このことは、ボウル１４０がフィルタヘッド４２に十分に近づくのを防ぎ、ねじ山１５２と１５９が係合することができないようにするだろう。
【００７５】
図１６と図１６Ａで、フィルタボウル１４０とフィルタヘッド４２が示され、フィルタボウル１４０内に設置されたカートリッジ４６'がキーリング１１０を欠いているので、システム４０は固定された位置にある。指１９４が固定スリーブ１８０の基部１８８の第２の軸方向表面と係合しているので、固定リング１７８は、図１６で示された位置から軸方向上向きに動くことができない。
【００７６】
上記の記載より、フィルタアセンブリ４４をどのように使用するかが明らかである。最初に、フィルタアセンブリ４４をフィルタヘッド４２上に配置する工程がある。配置する間に、フィルタアセンブリ４４は、固定スリーブ１８０に対して押されて、固定スリーブ１８０を回転させ、かつ固定スリーブ１８０の指収容開口部２３８と固定リング１７８の指１９４を一直線上に並べながら、固定スリーブ１８０を固定された位置（図２１）から固定されていない位置（図２７）まで移動する。次に、フィルタヘッド４２に対してフィルタアセンブリ４４と固定リング１７８の両方を軸方向に移動する工程がある。最後に、フィルタアセンブリ４４は、フィルタヘッド４２に作動可能に接続される。
【００７７】
Ｆ.  追加の変更
図３４〜４０は、図１〜図３３で前に説明されたシステムとそのシステムの一部及び部品とともに完全に使用することができる追加の変更を示す。そういうものとして、これらの変更のそれぞれは、他の機能的な部品の全てともに完全に記載されていなだろう。むしろ、図３４〜４０の変更は、上記の完全に記載されたすべてのものとともに使用可能であることを理解すべきである。適切な範囲まで、上記の記載と説明は、引用によりこの部分に合体される。
【００７８】
図３４〜３６は、キーリング１１０と第１端部キャップ５６の変形を示す。図３４〜３６の実施例では、第１端部キャップは、参照番号３５６であり、キーリングは参照番号４１０である。図３４〜３６の実施例では、キーリング４１０を選択的に回転させる機能は、摩擦リング１２０の代わりに隆起構成物４２０で実施される。隆起構成物４２０は摩擦を誘発する構造である。
【００７９】
図３５と図３６を参照すると、第１端部キャップ３５６は、開いている第１開口部３５８を有する。使用中に、開いている第１開口部３５８は、フィルタ媒体６０の管状構造物の開いているフィルタ内部６４と連通する。フィルタ媒体６０の第１端部６１は、第１端部キャップ３５６に固定されている。第１端部キャップ３５６は、開いている第１開口部３５８に沿って並ぶ内壁３７２を有する。フィルタ媒体６０（図７）を取り囲む外壁３７４がある。横方向基部３７６は、内壁３７２と外壁３７４との間に延びている。また、横方向基部３７６は、フィルタ媒体６０の第１端部６１を覆う。例示の実施例では、第１端部キャップ３５６は、さらにカートリッジハウジング４８内のフィルタカートリッジ４６（図７）を中心に配置するのを補助する複数の半径方向突起物３７８を含む。
【００８０】
例示の第１端部キャップ３５６は、軸方向に延びているネック３８０を画定する。ネック３８０は、基部３７６から軸方向に延びているか、または突き出ていて、対向する半径方向外面３８２と半径方向内面３８４を画定する。第１端部キャップ３５６は、第１端部キャップシール部材３８６を保持する。第１端部キャップシール部材３８６は、フィルタカートリッジ４６とフィルタヘッド４２との間で図２に例示されるシール８８のようなシールを形成する。
【００８１】
図３５と図３６で見ることができるように、基部３７６は、ネック３８０によって取り囲まれている基部部分３７７を含む。すなわち、基部部分３７７は、ネック３８０の半径方向内面３８４内にあり隣接している。隆起構成物４２０は、摩擦を導入しキーリング４１０上の構造物と相互作用するために第１端部キャップ３５６上に複数の隆起４２２を含む。示された実施例では、隆起４２２は基部３７６上にある。図３４〜３６に示されるの特定の実施例では、隆起４２２は、基部部分３７７上に配置されている。隆起４２２は、この実施例では、基部３７６の基部部分３７７から軸方向に離れる方向に延びているドーム形状突起物を含む。
【００８２】
キーリング４１０は、キーリング１１０のように、半径方向内面４２９から半径方向に延びている複数の突起物を含む。上記の突起物１１４〜１１７に対して説明されたのと同様に配置され、上記の説明は引用によりここに合体される。図３６の実施例では、４つの突起物のうちの３つの突起物４０２、４０３、４０５だけが見えることに注意すべきである。突起物４０３と４０５は、第２突起物１１５と第４突起物１１７と類似している。突起物４０２は、第１突起物１１４と類似している。図３６で第３突起物１１６に類似する突起物を見ることができないが、第３突起物１１６は、キーリング４１０との比較により、キーリング１１０の実施例のレビューから明らかである。
【００８３】
図３６の実施例では、突起物４０２、突起物４０３、突起物４０５は、突起物１１４〜１１７で示されるように丸くないが、部分的に丸い。特に、突起物４０３、４０５は、いくつかの実施例では、第２の軸方向表面４２７と平行である平らな平坦な部分を有する。突起物４０２は、いくつかの実施例では、第１の軸方向表面４２６と平行であり得る平らな部分を有する。
【００８４】
キーリング４１０は、キーリング１１０と類似するように作られているが、摩擦リング１２０を有する代わりに隆起４２４を含む。隆起４２４は、第１端部キャップ３５６上の隆起４２２と軸方向に係合するように、キーリング４１０上に配置される。図３６で示される実施例では、キーリング４１０は、対向する第１の軸方向表面４２６と第２の軸方向表面４２７を含む。半径方向外面４２８と半径方向内面４２９は、第１及び第２の軸方向表面４２６、４２７の間にある。この実施例では、隆起４２４は、キーリング４１０が端部キャップ３５６のネック３８０内に配置されるとき、第２の軸方向表面４２７が端部キャップ３５６の基部３７６の基部部分３７７の上に置かれかつ係合するだろう。半径方向外面４２８は、ネック３８０の半径方向内面３８に隣接しているだろう。隆起４２４は、この実施例では、ドーム形状突起物であり、隆起４２２を妨げる。
【００８５】
キーリング４１０が端部キャップ３５６中に取付けられた状態で、隆起４２２、４２４は、隆起４２２、４２４の間で障害物を形成するように互いに干渉する。このことは、カートリッジハウジング４８とカートリッジ４６が、（前に、図１１４〜１１７で例示したように、及び図３６の実施例において、４０２、４０３、及び４０５として示されたように）突起物を一直線上に並べるために固定リング１７８中のスロットとともに回転されたとき、キーリング４１０が端部キャップ３５６とともに移動（回転）させる。突起物４０２、４０３、及び４０５が、いったん固定リング１７８中のそれぞれのスロット中に向かって軸方向に動き始めると、キーリング４１０はもはや回転することができない、固定リング１７８のスロットがフィルタヘッド４２に対して固定されて回転しないからである。ここで突起物４０２、４０３及び４０５が軸方向の上向きにのみ移動するようにさせる力は、隆起４２２、４２４との間の摩擦を克服するのに十分に大きく、隆起４２２、４２４が互いの上に乗ることを可能にし、次に、端部キャップ３５６はフィルタカートリッジ４６と共に回転し続けるが、キーリング４１０はフィルタヘッド４２に回転に対して固定されたまま残ることを可能にする。
【００８６】
また図３４〜３６を参照すると、端部キャップ３５６は、ネック３８０の半径方向内面３８４に沿った突起物３８７を更に含む。突起物３８７は、組立て後、端部キャップ３５６中のキーリング４１０を軸方向に保持する。キーリング４１０を端部キャップ３５６に組み立てる間に、キーリング４１０の外側の周囲部または半径外面４２８は、キーリング４１０の軸方向第１表面４２６がパチンと音を立てて突起物３８７を通過するまで、突起物３８７の角度付けられた側部３８９（図３５Ａ）の上方を移動する。ここで、キーリング４１０は、キーリング４１０の軸方向第１表面４２６を重ね合わせる突起物３８７の表面３９１（図３５Ａ）によって軸方向の適所に保持される。
【００８７】
ここで、図３７〜３９を参照すると、更なる変更が示されかつ記載される。これらの変更のいずれかは、フィルタヘッド４２、カートリッジ４６、及び他の特徴のすべてを含むシステム４０と共に使用することができる。図１〜３６の記載は、図３７〜３９で示される変更とともに使用可能であるものとしてここに引用により合体される。図３７では、フィルタシステムが４３０で示される。システム４３０は、ボウルフィルタアセンブリ４３３に取外し可能に接続されたフィルタヘッド４３２を含む。ボウルフィルタアセンブリ４３３は、カートリッジハウジング４３４と取外し可能で取替え可能なフィルタカートリッジ４３５とを含む。これらの特徴のすべては、前に記載された特徴と類似しており、それらの記載はここに引用により合体される。
【００８８】
フィルタカートリッジ４３５がフィルタヘッド４３２中のアセンブリに対して中心に配置されるようになるのを補助するように、ガイドスリーブ４３６は、インナーライナ４３７の先端に加えられる。ガイドスリーブ４３６は、アダプタアセンブリ４３９の内部管状壁４３８内のカートリッジ４３５と一直線上に並べるのを補助する。一旦中心に配置されると、システム４３０を調整する技術者は、突起物１１４〜１１７を固定リング１７８のスロット２００（図１９）に一直線上に並べるようにするために、アセンブリ４３３を好ましくは、完全な回転の１回未満だけ回転させ、バネ１８２の力に対する固定スリーブ１８０の回転が、固定スリーブ１８０をアダプタ４３９と固定リング１７８に対して回転させ、その結果、アダプタアセンブリ１８６を第１の固定された位置から第２の固定された位置まで動かすことを可能にするだろう。この回転は、固定リング１７８の軸方向運動及びアダプタアセンブリ４３９と固定スリーブ１８０に対する４３３の移動を可能する。この回転と軸方向の移動は、固定リング１７８中のスロット２００を通過して第２突起物１１５と第２溝中の斜面２３２（図２３）の間で接触させる。フィルタカートリッジ４３５とアダプタアセンブリ１８６の間の連続的な軸方向の圧力は、第２突起物１１５を尾根２３３（図２５）に対して移動させ、かつ、ばね１８２に対して固定リング１７８に対する固定スリーブ１８０の更なる回転を引き起こすだろう。
【００８９】
最終的に、固定スリーブ１８０と固定リング１７８は、指１９４が指収容開口部２３８と軸方向に一直線上となるまで互いに回転して移動し、このことは、次に、指１９４が指収容開口部２３８に入り込むことを可能にすることによって、固定リング１７８が固定スリーブ１８０に対して軸方向に滑ることを可能にする。このことは、次に、固定されていない位置（図２７）にアダプタアセンブリ１８６を配置して、ボウルカートリッジアセンブリ４３３がフィルタヘッド４３２上へのねじ山接続を可能にする。
【００９０】
好適な実施例では、インナーライナ４３７は、タブ突起構成物４４０を含む。この実施例では、タブ突起構成物４４０は、フィルタヘッド４３２に向かう方向で４４１でインナーライナ４３７の頂部４４１から軸方向に延びている。示された実施例では、タブ突起構成物４４０は、頂部４４１からガイドスリーブ４３６の反対側に突き出している第１タブ４４２と第２タブ４４３を含む。図３９で理解することができるように、第１タブ４４２、第２タブ４４３は、互いに約１８０度だけ離れて配置されている。タブは、ガイドスリーブ４３６の長さに沿ってガイドスリーブ４３６の長さの５０％未満の長さで延びている。１つの実施例では、タブ４４２、タブ４４３は、インナーライナ４３７の先端４４１からガイドスリーブ４３６の長さの５％〜４０％の間だけ延びている。タブ４４２、タブ４４３は、フィルタカートリッジ４３５がハウジング４３４から外れるとき、カートリッジハウジング４３４がフィルタヘッド４３２に接続されるのを防ぐのを補助する。
【００９１】
ここで、図４０を参照すると、固定リング１７８の変形を示す。図４０では、固定リングは参照番号４４５で示す。図４０で、固定リングは、参照番号４４５で示される。固定リング４４５は、固定リング１７８として同じ特徴と機能のすべてを有し、固定リング４４５は、前に記載された前の特徴と実施例のすべてと共に使用することができる。図４０の実施例では、固定リング４４５は、２組のリブ４４６〜４４７を含む。リブ４４６、リブ４４７は、固定リング４４５の強度を高める。リブ４４６、リブ４４７は、基部４４８に沿って配置され、図１３の実施例では、基部は、参照番号１８８の平面である。固定リング４４５の機能は、固定リング１７８の機能と全くと同じである。
【００９２】
上記は実施例と原理の説明である。これらの原理を利用して多くの実施例をなし得ることができる。本明細書に記載されているすべての特徴的な特徴は、本開示に従ういくつかの選択された利点を有する構成物に対して構成物中に合体される必要がないことが注目される。
【図１】
0005852962.tif 000002
【図２】
0005852962.tif 000003
【図３】
0005852962.tif 000004
【図４】
0005852962.tif 000005
【図５】
0005852962.tif 000006
【図６】
0005852962.tif 000007
【図７】
0005852962.tif 000008
【図８】
0005852962.tif 000009
【図９】
0005852962.tif 000010
【図１０】
0005852962.tif 000011
【図１１】
0005852962.tif 000012
【図１２】
0005852962.tif 000013
【図１３】
0005852962.tif 000014
【図１４】
0005852962.tif 000015
【図１５】
0005852962.tif 000016
【図１５Ａ】
0005852962.tif 000017
【図１６】
0005852962.tif 000018
【図１６Ａ】
0005852962.tif 000019
【図１７】
0005852962.tif 000020
【図１８】
0005852962.tif 000021
【図１９】
0005852962.tif 000022
【図２０】
0005852962.tif 000023
【図２１】
0005852962.tif 000024
【図２１Ａ】
0005852962.tif 000025
【図２２】
0005852962.tif 000026
【図２３】
0005852962.tif 000027
【図２４】
0005852962.tif 000028
【図２５】
0005852962.tif 000029
【図２６】
0005852962.tif 000030
【図２７】
0005852962.tif 000031
【図２８】
0005852962.tif 000032
【図２９】
0005852962.tif 000033
【図３０】
0005852962.tif 000034
【図３１】
0005852962.tif 000035
【図３２】
0005852962.tif 000036
【図３３】
0005852962.tif 000037
【図３４】
0005852962.tif 000038
【図３５】
0005852962.tif 000039
【図３５Ａ】
0005852962.tif 000040
【図３６】
0005852962.tif 000041
【図３７】
0005852962.tif 000042
【図３８】
0005852962.tif 000043
【図３９】
0005852962.tif 000044
【図４０】
0005852962.tif 000045